(57)【要約】【課題】蛍光灯のような放電灯にて防犯効果のある照明装置を提供する。【解決手段】直流電圧を高周波電圧に変換して放電灯に供給するインバータ回路部と、前記インバータ回路部の動作を制御する制御部と、人体を検知する人体検知部とを有し、前記制御部は、前記人体検知部が人体を検知した際に放電灯を消灯させずに放電灯の明るさを繰り返し変化させるように前記インバータ回路部の動作を制御する。また、放電灯の明るさを繰り返し変化させる動作の開始から徐々に明るさ比を大きくする。あるいは、人体検知部が人体を検知する毎に明るさ比を大きくする。【選択図】図１
2005327606.tif 000002
【特許請求の範囲】
【請求項１】
直流電圧を高周波電圧に変換して放電灯に供給するインバータ回路部と、前記インバータ回路部の動作を制御する制御部と、人体を検知する人体検知部とを有し、前記制御部は、前記人体検知部が人体を検知した際に放電灯を消灯させずに放電灯の明るさを繰り返し変化させるように前記インバータ回路部の動作を制御することを特徴とする照明装置。
【請求項２】
人体検知部が人体を検知してから一定時間は放電灯を予熱し、その後、放電灯の明るさを繰り返し変化させることを特徴とする請求項１記載の照明装置。
【請求項３】
周囲の明るさを検出する照度検出部を有し、前記照度検出部が検出する周囲の明るさが所定照度以上のときは放電灯を消灯状態で待機し、前記照度検出部が検出する周囲の明るさが所定照度以下のときは放電灯を所定の明るさで待機することを特徴とする請求項１または２のいずれかに記載の照明装置。
【請求項４】
放電灯の明るさを繰り返し変化させる動作の開始から徐々に明るさ比を大きくすることを特徴とする請求項１〜３のいずれかに記載の照明装置。
【請求項５】
放電灯の明るさを繰り返し変化させる動作時に、人体検知部が人体を検知する毎に明るさ比を大きくすることを特徴とする請求項１〜４のいずれかに記載の照明装置。
【請求項６】
請求項１〜５のいずれかに記載の照明装置を搭載した照明器具。
【発明の詳細な説明】
【技術分野】
【０００１】
本発明は、人体検知センサの検知出力に応じて放電灯が高周波点灯される照明装置およびこの照明装置を用いた照明器具に関するものである。
【背景技術】
【０００２】
最近は日本でも治安が悪化の一途をたどっており、特にピッキングと呼ばれる特殊な工具を使って住宅の玄関のドアの鍵を解錠して宅内に不法侵入する空き巣被害が激増している。このような状況のもと、住宅用照明器具分野でも防犯効果を持った照明器具が多く考案されている。例えば、玄関先（人センサの検知範囲内）で不法な解錠行為をしていると、最初の人検知から３０秒後に照明負荷が０．５秒間隔で激しい点滅（フラッシュ）動作をして、威嚇、警告を行い、周囲の人々に報知も行なうことで、泥棒はピッキング行為を続けることが困難になり、その場から逃亡せざるを得なくなる（特願２００２−４０４１参照）。この従来例では点灯時間が短いため、より簡易に制御できる白熱灯等の電球を前提としている。しかし、例えば防犯灯の役割も兼ね、一晩中点灯させているものは近年の省エネルギー化の観点から望ましくない。
【０００３】
省エネルギーを考慮すると現状では蛍光灯が最も有力であるが、一般的に市場に普及している蛍光灯は熱陰極型である。すなわち蛍光灯を点灯させる前にまず陰極に電流を流し（予熱）、充分温まった状態で電子を飛ばし点灯させる必要がある。よって点灯するまでにはある程度の時間（１秒程度）が必要であり、前記従来例のように０．５秒間隔で点滅させようとしても予熱を繰り返すだけである。かといって点滅の間隔を長くしてしまうと防犯効果は薄れてしまう。
【０００４】
そこで、特許文献１（特開２００３−２３４１９８号公報）において上記の問題を改善した蛍光灯を使用した防犯効果のある照明装置が提案されている。この照明装置の回路構成を図６に示す。照明装置２０は、周囲の明るさを検出する照度検出手段２１と人体の存在を検知する人体検知手段２２と、照度検出手段２１の検出信号及び人体検知手段２２の検知信号に基づいてインバータ回路部２４を制御する制御部２３と、制御部２３からの制御信号に従って照明負荷２６を高周波点灯させるインバータ回路部２４と、商用電源３０から直流電圧を生成してインバータ回路部２４に与える電源回路部２５を備えている。照明負荷２６は例えば蛍光灯のような放電灯であり、インバータ回路部２４は商用電源３０を高周波電源に変換して照明負荷２６を高周波で駆動する。
【０００５】
以下、図７に示すタイミングチャートに基づいて、図６の照明装置の点滅制御動作を説明する。図７において、周囲照度が徐々に低下し、ａ時点において所定照度以下になると、照度検出手段２１の出力電圧がオフ（Ｌレベル）からオン（Ｈレベル）に変化する。この状態でｂ時点において人体検知手段２２が人体を検知してその出力がオフ（Ｌレベル）からオン（Ｈレベル）に変化すると、制御部２３はインバータ回路部２４に対して点灯制御信号を出力する。制御部２３の出力がオフ（Ｌレベル）からオン（Ｈレベル）に変化し、この信号が点灯制御信号としてインバータ回路部２４に与えられる。
【０００６】
ｃ時点において人体検知手段２２が人体を検知しなくなり、その出力がオン（Ｈレベル）からオフ（Ｌレベル）に変化するが、制御部２３の出力は所定時間だけオン（Ｈレベル）状態に維持される。この間に、インバータ回路部２４は制御部２３からのオン出力信号に従って照明負荷２６の予熱、始動及び点灯制御を実行する。つまり、始動及び点灯制御の周波数より高い周波数で例えば０．８秒間の予熱制御を行う。この際、照明負荷２６のフィラメント電圧は始動電圧以下に抑えられている。その後、始動及び点灯の動作周波数に切り替えることにより、照明負荷２６は予熱から始動を経て点灯状態に移行する。
【０００７】
制御部２３の出力は、照明負荷２６が点灯後、所定時間だけオンレベル（Ｈレベル）を維持したのちオフレベル（Ｌレベル）に戻る。所定のオフ時間の後、制御部２３の出力が再びオンレベルになり、インバータ回路部２４が照明負荷２６の点灯制御を再開する。図７から分かるように、２回目以降の点灯制御では、インバータ回路部２４は予熱制御を実行せずに、すぐに始動段階を経て点灯段階に移行する。以降、点灯保持時間だけ、上記の動作が繰り返される。
【０００８】
制御部２３の出力がｂ時点で最初にオンレベルになり、ｃ時点で人体検知手段２２の出力がオフレベルに変化してからｄ時点で点灯保持時間が経過すると、制御部２３の出力がオフレベルになる。再び人体検知手段２２が人体を検知してその出力がオンレベルに変化するまでは制御部２３の出力がオフレベルに維持される。これに伴い、インバータ回路部２４の発振が停止し、照明負荷２６が消灯する。
【特許文献１】特開２００３−２３４１９８号公報
【発明の開示】
【発明が解決しようとする課題】
【０００９】
しかしながら、上述の特許文献１の従来例では点滅動作させる際、予熱を行なっていないため、蛍光灯の陰極にダメージを与え、十分な寿命を得られないこととなる。
本発明は上記のような問題を改善し、蛍光灯のような放電灯にて防犯効果のある照明装置を提供することを目的とする。
【課題を解決するための手段】
【００１０】
本発明の照明装置にあっては、上記の課題を解決するために、直流電圧を高周波電圧に変換して放電灯に供給するインバータ回路部と、前記インバータ回路部の動作を制御する制御部と、人体を検知する人体検知部とを有し、前記制御部は、前記人体検知部が人体を検知した際に放電灯を消灯させずに放電灯の明るさを繰り返し変化させるように前記インバータ回路部の動作を制御することを特徴とするものである。
【発明の効果】
【００１１】
請求項１の照明装置は、人体検知部が人体を検知した際、放電灯を消灯させずに放電灯の明るさを繰り返し変化させるものであるから、放電灯の短寿命を防止でき、白熱灯からの代替による省エネルギーの照明装置を提供できる。
請求項２の照明装置は、人体検知部が人体を検知してから一定時間は放電灯を予熱するので、より放電灯の短寿命を防止した防犯効果を有した省エネルギーの照明装置を提供できる。
請求項３の照明装置は、周囲の明るさが所定照度以上のときは放電灯を消灯状態で待機させ、所定照度以下のときは放電灯を所定の明るさで待機させるので、より消費エネルギーの少ない防犯効果を有した照明装置を提供できる。
【００１２】
請求項４の照明装置は、放電灯の明るさを繰り返し変化させる動作の開始から徐々に明るさ比を大きくすることにより、あたかも監視されているように感じられ、より防犯効果の高い照明装置を提供できる。
請求項５の照明装置は、放電灯の明るさを繰り返し変化させる動作時に、人体検知部が人体を検知する毎に明るさ比を大きくすることにより、あたかも監視されているように感じられ、より防犯効果の高い照明装置を提供できる。
【発明を実施するための最良の形態】
【００１３】
（実施形態１）
図１に本発明の照明装置の回路構成を示す。この照明装置では、商用電源１に接続された電源整流平滑部２により直流電圧を得ており、その直流電圧を入力として高周波変換回路であるインバータ３が接続されており、インバータ３の出力に放電灯４が接続されている。前記インバータ３は主に発振周波数を制御する制御回路５を有している。また、周囲の明るさを検出する照度検出回路６と、人体の存在を検知する人体検出回路７を有しており、それぞれの出力信号が前記制御回路５に接続されている。さらに、人体検出回路７からの信号はタイマー回路８に接続されており、そのタイマー回路８の出力は制御回路５に接続されている。
【００１４】
次に本実施形態の動作について図２を用いて説明する。基本的にはタイマー回路からの信号が最も優先され、その次に照度検出回路の信号が優先される制御となっており、タイマー回路からＯＮ信号が送られるとその直前の明るさにより減光もしくは増光を繰り返すことで、放電灯の明るさを繰り返し変化（以下「フラッシング」という）させる。具体的には周囲の明るさが設定値より明るい時には、照度検出回路からは停止信号が制御回路に送られており、放電灯は消灯しており、人を検知しても点灯はしないが、タイマー回路で設定されている期間、連続もしくは断続的に人を検知すると、タイマー回路からＯＮ信号が送られ、放電灯は増光のフラッシングを一定時間繰り返す。なお、増光した時の調光比をここでは約５０％としているがそれ以上としても何ら支障は無い。
【００１５】
周囲の明るさが設定値より暗い時には、照度検出回路からはＯＮ信号が制御回路に送られており、その時放電灯は調光（ここでは５０％）で点灯し待機しており、人を検知すると人体検出回路よりＯＮ信号が送られ、放電灯は全点灯（１００％点灯）する。そしてタイマー回路で設定されている期間、連続もしくは断続的に人を検知するとタイマー回路から制御回路にＯＮ信号が送られ、放電灯は減光のフラッシングを一定時間繰り返す。この繰り返しの間隔は１秒以下が望ましい。それ以上長いと防犯効果としては薄くなってしまう。また、減光した時の調光比をここでは５０％としているが、視覚的効果よりそれ以下が望ましい。また、周囲の明るさが設定値より暗い時には省エネルギーのため消灯して待機させても同様に支障は無い。
【００１６】
これによると、連続もしくは断続的に人を検知すると放電灯が明⇔暗でフラッシングするため、あたかも点滅しているように思われ、防犯効果を有しているにも関わらず負荷の寿命に影響が少ないものを放電灯で実現させることができる。
【００１７】
（実施形態２）
次に実施形態２の動作を図３に示す。回路構成は実施形態１（図１）と同様であるが、放電灯をフラッシングする際の動作が異なっている。基本的な動作は実施形態１と同様であるため、その違いのみを説明する。本実施形態では、タイマー回路で設定されている期間、連続的もしくは断続的に人を検知した際、放電灯は減光もしくは増光を繰り返すことでフラッシングさせるが、その減光もしくは増光を繰り返すに従い、徐々に調光比を大きくしている。
【００１８】
図３によると放電灯がフラッシングする直前が消灯している場合にフラッシングを開始すると暗時の調光比は固定（０％ではない）されており、フラッシングするにつれて明時の調光比を上げている。
【００１９】
また、放電灯がフラッシングする直前が点灯している場合（ここでは調光比５０％で点灯）にフラッシングを開始すると、明時の調光比は固定（１００％）されており、フラッシングするにつれて暗時の調光比を下げている（ただし、最小値でも０％ではない）。
【００２０】
これによると、徐々に点滅が激しくなっていると感じられ、あたかも監視されているような心理効果があり、より防犯効果を高めることができる。
【００２１】
（実施形態３）
図４に実施形態３の動作を示す。回路構成は実施形態１（図１）と同様であるが、放電灯をフラッシングする際の動作が異なっている。タイマー回路で設定された期間、人体検知回路が人を連続的もしくは断続的に検知すると、放電灯は減光もしくは増光を繰り返しフラッシングさせるが、その間、人を検知する毎に調光比を変えている。すなわち、フラッシング期間内に更に人を検知すると調光比の変化が大きくなり、少ないと調光比の変化は少なくしている。
【００２２】
これによると、人検知の頻度により点滅の見栄えが変わるので、あたかも監視されているように感じられるため、防犯効果を高めることができる。
【００２３】
このような照明装置を搭載した照明器具の外観を図５に示す。この照明器具は壁面に取り付け可能なブラケット型照明器具であり、照度検出手段１１と人体検知手段１２は器具本体下部のレンズ内に配置されている。また、照明負荷は器具本体の前面に取り付けられたグローブ４０内に収容されている。照明器具の外観は図５に例示するようなブラケット型に限定されるものではなく、任意の形状の器具とすることができることは言うまでもない。
【図面の簡単な説明】
【００２４】
【図１】本発明の実施形態１の構成を示すブロック図である。
【図２】本発明の実施形態１の動作を示すタイムチャートである。
【図３】本発明の実施形態２の動作を示すタイムチャートである。
【図４】本発明の実施形態３の動作を示すタイムチャートである。
【図５】本発明の照明装置を用いた照明器具の外観を例示する斜視図である。
【図６】従来例の構成を示すブロック図である。
【図７】従来例の動作を示すタイムチャートである。
【符号の説明】
【００２５】
１  商用電源
２  電源整流平滑部
３  インバータ
４  放電灯
５  制御回路
６  照度検出回路
７  人体検出回路
８  タイマー回路
【図１】
2005327606.tif 000003
【図２】
2005327606.tif 000004
【図３】
2005327606.tif 000005
【図４】
2005327606.tif 000006
【図５】
2005327606.tif 000007
【図６】
2005327606.tif 000008
【図７】
2005327606.tif 000009